(57)【要約】【課題】    重力を利用した斬新なモータを提供する。【解決手段】本体１の水平方向に回転軸２回転体４を連結して設け回転体４に形成した貫通路５から頭出しにおもり６を組み付け両側にピン７ａ、７ｂ両端に磁石８ａ、８ｂを取り付け回転中心にして磁石８ａ，８ｂと向かい合わせに磁石３を本体１に設けた事にある。【選択図】図１
2008019846.tif 000002
【特許請求の範囲】
【請求項１】
本体の水平方向に回転軸を設け、その回転軸の周囲に直径を等しく変形させたリング状の磁石が同極面で本体に取り付けてあり、リング状の磁石が取り付けられた方の前記回転軸の一端に回転体を設け、その回転体の回転中心を横断する軸方向に移動可能な貫通路を形成し、その貫通路内から頭出しさせた状態でおもりを組み付け、その頭出しさせたおもりの両側には各ピンが取り付けてあり、本体に取り付けられた前記リング状の磁石と向かい合う位置に前記おもりの両端部に各磁石を同極面で設けた重力を利用したモータ。
【請求項２】
回転軸の一端を四角柱に形成し、回転体として利用してその回転体の中心を挟んだ２面と接触する長穴を設けたおもりを組み付け、そのおもりの両端部に各磁石を同極面で取り付け、各磁石の旋回軌跡の一ヵ所に各磁石と反発しあい各磁石とおもり共に回転体の中心側へ誘導させる磁石を同極面で本体に取り付けた請求項１に記載の重力を利用したモータ。
【発明の詳細な説明】
【技術分野】
【０００１】本発明は、回転体におもりを組み付けそのおもりに作用する重力を利用したモーターに関するものである。
【背景技術】
【０００２】従来のモータは電流を利用していて回転子の導線に電流を流して、その導線の周囲に磁界を発生させて吸引、反発する電磁石にし、固定子の永久磁石の吸引、反発と上手に組み合わせ回転機構としたものがある。
【発明の開示】
【発明が解決しようとする課題】
【０００３】従来のモータは電流を利用しているため発電によって電気を起こしたり、電池で電流を発生させたりする何れかの方法に依存している。
【課題を解決するための手段】
【０００４】本発明は合理的な構成により電気エネルギ又は、風、水、熱などの力を一切利用せず重力の力を利用してモータを動かすことを目的とした装置であってその構成は、本体の水平方向に回転軸を設け、その回転軸の周囲に直径を等しく変形させたリング状の磁石が同極面で本体に取り付けてあり、リング状の磁石が取り付けられた方の前記回転軸の一端に回転体を設け、その回転体の回転中心を横断する軸方向に移動可能な貫通路を形成し、その貫通路内から頭出しさせた状態でおもりを組み付け、その頭出しさせたおもりの両側には各ピンが取り付けてあり、本体に取り付けられた前記リング状の磁石と向かい合う位置に前記おもりの両端部に各磁石を同極面で設けたことにある。
【発明の効果】
【０００５】重力を利用し、電気エネルギーを利用しないため従来の発電に伴う二酸化炭素を発生させる事なく発電が可能となり、人件費なども必要となくなる。又電池やバッテリなどの廃棄後の水銀などの環境に対する悪影響も無くなる。
【発明を実施するための最良の形態】
【０００６】以下、本発明の実施の形態を図１〜図７に基づいて説明する。【０００７】図においては、１は本体で、２は回転軸、３は本体に設けた磁石、４は回転体、５は貫通路、６はおもり、７ａ，７ｂはピン、８ａ，８ｂ，８ｃ，８ｄはおもりに設けた磁石、９は長穴、Ｓは磁石のＳ極、Ｎは磁石のＮ極、１０は仮想軌跡である。【０００８】次に組み付け完了した重力を利用したモータの構造を図１、図２に基づいて説明すると、本体１の水平方向に設けられた回転軸２と回転体４は連結され一体となって回転することが出来、回転体４に形成された間通路５内から頭出しさせたおもり６の両側に取り付けてあるピン７ａ，７ｂは間通路５の開口面より大きくすることでストッパとして利用し、間通路５内からのおもり６の飛び出しを防いでいる、又おもり６の両端部には磁石８ａ，８ｂがＮ極面をおもり６側に固定し、Ｓ極面を本体１に向けている。そしてピン７ａ，７ｂとおもり６を含む磁石８ａ，ａｂまでの両端側までが互いに対称形で重量バランスも均等に配分されている。本体１に設けられたリング状磁石３は、回転軸を中心にしてＳ極面を本体に向け固定されていて、そのリング状磁石３の直径はおもり６に設けた磁石８ａ，８ｂの間の距離と等しくなっており、変形させた部分もその直径の距離と等しく変形させておりおもり６に設けた磁石８ａ，８ｂの軌道となっている。【０００９】又、本体に設けられたリング状の磁石３はＮ極面をおもりに設けた磁石８ａ，８ｂのＳ極面と向かい合わせて吸引状態になっている。
又、間通路５内面と間通路５内を移動するおもり６の互いに接触する部分には移動方向に溝が設けられキー（図示せず）が取り付けられているため、磁石８ａ，８ｂが旋回時ずれることはない。【００１０】このように形成された重力を利用したモーターの動作を図３の（ａ）〜（ｆ）に基づいて説明すると、（ａ）の回転中心からの距離の遠い方のおもり６と磁石８ａには回転中心からの近いほうのおもり６と磁石８ｂ（以下単に磁石８ａ磁石８ｂとのみ称する）とでは磁石８ａの方により多くの重力が作用し磁石８ａのＳ極面（この図では、磁石３のＮ極面と向かい合う面が磁石８ａ，８ｂのＳ極面である）が、磁石３のＮ極面の軌道に沿って右回りに回転されると磁石８ａに作用する遠心力で磁石３の軌道から外れるのをピン７ｂが貫通路５の開口面と接触し防ぐ、磁石８ａは（ｂ）の点Ｐ１を通過し（Ｃ）の点Ｐ２にさしかかると磁石８ａは磁石３の軌道を変化させた部分に沿って最も高いエネルギで（ｄ）の磁石３のＮ極面と磁石８ａ，８ｂのＳ極面との吸引作用によって誘導されながら点Ｐ３を通過すると共におもり６は回転体に形成された貫通路５内を回転中心側へと横断し始め（ｅ）の点Ｐ４地点で完全に横断する。
磁石８ａ，８ｂの回転中心からの距離は反転し（ｆ）のように磁石８ｂが慣性によってはじめの（ａ）の状態に戻り、再び点Ｐ１へと移動する。【００１１】このように磁石８ａと８ｂとが交互に回転中心からの距離を変えながら回転することで回転体と連結した回転軸は高速回転も可能となる。【００１２】又図４、図５のように回転体４の一直線上に複数の貫通路５を形成し、その貫通路内から複数の頭出しさせたおもり６に取り付けてある各磁石８ａ，８ｂ，８ｃ，８ｄの極面を揃えることでより高速で滑らかな回転が期待できる。【００１３】又図６、図７のように回転軸の一端を四角柱に形成した回転体４の２面を挟む長穴９を設けたおもり６を組み付け挟まない方向へ移動可能としおもり６の両端の磁石８ａ，８ｂの旋回する軌道上のおもり６の最も高くなったエネルギの位置に磁石８ａ，８ｂと反発しあい磁石８ａ，８ｂの回転中心からの距離を変更可能にする磁石３を本体に設けることでも回転軸を回転させることが出来る。【００１４】図６、図７の回転体４は円柱形のまま中心を挟んだ２点と接触させたおもり６の場合は軸２は回転しないがおもり６は回転可能である。【００１５】又、図示はしないが回転時に於いておもり６の回転体中心から両端までの距離が遠い方と近いほうの位置関係の変更には磁石の力を利用せずおもり６の旋回軌跡の一点に回転体中心からの距離が遠い方のおもり６と接触して回転体中心側へ押し出す方向に誘導するガイド部材を設けることでも回転させることは可能である。【００１６】本発明の装置は二酸化炭素を発生させない発電機や動力などにも利用できる。【００１７】尚、本発明において、前記実施例の説明で利用した図面はあくまで説明用のものであって、実際に実施されるものを忠実に表したものではなく模式的にあらわしたものである事と、又、今後実施される装置にあたっては本発明の趣旨を逸脱しない範囲内において、マイナーチェンジされることが予測されることを付言しておく。
【図面の簡単な説明】
【００１８】
【図１】  重力モータの正面説明図である。
【図２】  重力モータの側面説明図である。
【図３】  重力モータの動作説明図である。
【図４】  重力モータの正面説明図である。
【図５】  重力モータの側面説明図である。
【図６】  重力モータの正面説明図である。
【図７】  重力モータの側面説明図である。
【符号の説明】
【００１９】１・・本体  ２・・回転軸  ３・・本体に設けた磁石  ４・・回転体  ５・・貫通路  ６・・おもり  ７ａ，７ｂ・・ピン  ８ａ，８ｂ．８ｃ．８ｄ・・おもりに設けた磁石  ９・・長穴  １０・・仮想軌跡  Ｎ・・磁石のＮ極  Ｓ・・磁石のＳ極
【図１】
2008019846.tif 000003
【図２】
2008019846.tif 000004
【図３】
2008019846.tif 000005
【図４】
2008019846.tif 000006
【図５】
2008019846.tif 000007
【図６】
2008019846.tif 000008
【手続補正書】
【提出日】平成18年9月7日(2006.9.7)
【手続補正１】
【補正対象書類名】図面
【補正対象項目名】全図
【補正方法】変更
【補正の内容】
【図１】
2008019846.tif 000009
【図２】
2008019846.tif 000010
【図３】
2008019846.tif 000011
【図４】
2008019846.tif 000012
【図５】
2008019846.tif 000013
【図６】
2008019846.tif 000014
【図７】
2008019846.tif 000015